(57)【特許請求の範囲】
【請求項１】
局部洗浄用のノズルに洗浄水を供給する給水路の途中に設けられるものであり、
底部に貯水部が形成されたサブタンクと、
前記サブタンクにおける前記貯水部の最高貯水位よりも上方の位置に設けた吐水口と、
前記貯水部内の水に浸漬される位置で開口する吸水口と、
前記吸水口に接続され、前記貯水部内の水を吸引して前記ノズルへ圧送するポンプとを備えていて、
局部洗浄が行われるときには、前記吐水口から前記貯水部内へ水を流下させながら前記ポンプによる吸水と圧送を行うとともに、前記ポンプで吸引されずに前記貯水部から溢れた余剰水を前記サブタンク外へ排出するようになっているエアギャップ装置において、
前記サブタンク内には、水平方向において前記吐水口と前記吸水口との間を遮るように位置し、前記吐水口から前記貯水部へ水が流下するのに伴って生じた気泡が前記吸水口側へ移動するのを規制する多孔状の規制部が設けられていることを特徴とする局部洗浄用給水路のエアギャップ装置。
【請求項２】
前記規制部の下端縁が、前記貯水部の底面よりも上方の位置に配置されていることを特徴とする請求項１記載の局部洗浄用給水路のエアギャップ装置。
【請求項３】
前記サブタンク内には、前記貯水部の底面における前記規制部と前記吸水口との間の位置から立ち上がる仕切部が形成されており、
前記仕切部により、前記貯水部が、前記吸水口を浸漬させる吸水側貯水領域と、前記吐水口及び前記規制部に臨む吐水側貯水領域とに仕切られていることを特徴とする請求項１又は請求項２記載の局部洗浄用給水路のエアギャップ装置。
【請求項４】
前記規制部から前記吸水口に至る水の流動経路と交差する幅方向において、前記仕切部の形成範囲が、前記貯水部の全幅領域の一部のみとされ、
前記仕切部の非形成領域が、前記吸水側貯水領域と前記吐水側貯水領域とを連通させる切欠部となっており、
前記吸水口と前記切欠部が、前記幅方向において互いに非対応の位置関係となるように配置されていることを特徴とする請求項３記載の局部洗浄用給水路のエアギャップ装置。
【発明の詳細な説明】
【技術分野】
【０００１】
本発明は、局部洗浄用給水路のエアギャップ装置に関するものである。
【背景技術】
【０００２】
特許文献１には、局部洗浄用のノズルに洗浄水を供給する給水路の途中に設けたエアギャップ装置が開示されている。エアギャップ装置は、底部に貯水部が形成されたサブタンクと、サブタンクにおける貯水部の最高貯水位よりも上方の位置に設けた吐水口と、貯水部内の水に浸漬される位置で開口する吸水口と、吸水口に接続され、貯水部内の水を吸引してノズルへ圧送するポンプとを備えている。そして、局部洗浄が行われるときには、吐水口から貯水部内へ水を流下させながらポンプによる吸水と圧送を行うとともに、ポンプで吸引されずに貯水部から溢れた余剰水をサブタンク外へ排出するようになっている。
【先行技術文献】
【特許文献】
【０００３】
【特許文献１】特開２０１０−６５４５５号公報
【発明の概要】
【発明が解決しようとする課題】
【０００４】
上記のようなエアギャップ装置においては、吐水口から貯水部へ水が流下するのに伴って気泡が発生することがあるが、この気泡が吸水口から吸い込まれると、ポンプでエア噛みが発生し、良好な吸水と圧送に支障を来すことになる。
本発明は上記のような事情に基づいて完成されたものであって、ポンプにおけるエア噛みの防止を図ることを目的とする。
【課題を解決するための手段】
【０００５】
上記の目的を達成するための手段として、請求項１の発明は、局部洗浄用のノズルに洗浄水を供給する給水路の途中に設けられるものであり、底部に貯水部が形成されたサブタンクと、前記サブタンクにおける前記貯水部の最高貯水位よりも上方の位置に設けた吐水口と、前記貯水部内の水に浸漬される位置で開口する吸水口と、前記吸水口に接続され、前記貯水部内の水を吸引して前記ノズルへ圧送するポンプとを備えていて、局部洗浄が行われるときには、前記吐水口から前記貯水部内へ水を流下させながら前記ポンプによる吸水と圧送を行うとともに、前記ポンプで吸引されずに前記貯水部から溢れた余剰水を前記サブタンク外へ排出するようになっているエアギャップ装置において、前記サブタンク内には、水平方向において前記吐水口と前記吸水口との間を遮るように位置し、前記吐水口から前記貯水部へ水が流下するのに伴って生じた気泡が前記吸水口側へ移動するのを規制する多孔状の規制部が設けられているところに特徴を有する。
【０００６】
請求項２の発明は、請求項１に記載のものにおいて、前記規制部の下端縁が、前記貯水部の底面よりも上方の位置に配置されているところに特徴を有する。
【０００７】
請求項３の発明は、請求項１または請求項２に記載のものにおいて、前記サブタンク内には、前記貯水部の底面における前記規制部と前記吸水口との間の位置から立ち上がる仕切部が形成されており、前記仕切部により、前記貯水部が、前記吸水口を浸漬させる吸水側貯水領域と、前記吐水口及び前記規制部に臨む吐水側貯水領域とに仕切られているところに特徴を有する。
【０００８】
請求項４の発明は、請求項３に記載のものにおいて、前記規制部から前記吸水口に至る水の流動経路と交差する幅方向において、前記仕切部の形成範囲が、前記貯水部の全幅領域の一部のみとされ、前記仕切部の非形成領域が、前記吸水側貯水領域と前記吐水側貯水領域とを連通させる切欠部となっており、前記吸水口と前記切欠部が、前記幅方向において互いに非対応の位置関係となるように配置されているところに特徴を有する。
【発明の効果】
【０００９】
＜請求項１の発明＞
吐水口から貯水部へ水が流下するのに伴って気泡が発生しても、その気泡は、規制部によって吸水口側へ移動するのを規制されるので、気泡が吸水口から吸い込まれるという事態が生じ難く、ポンプにおけるエア噛みを抑制することができる。
【００１０】
＜請求項２の発明＞
貯水部に流下した水に含まれる気泡は、速やかに水面上へ移動するので、規制部によって吸水口側への移動を規制される。一方、気泡の含有量が減少した水は、規制部による抵抗を殆ど受けずに規制部の下方を通過する。本発明によれば、貯水部内を吸水口に向かって流れる水の圧力損失を抑えながら、気泡の吸水口への到達を確実に防止することができる。
【００１１】
＜請求項３の発明＞
貯水部のうち仕切部によって吐水側貯水領域から仕切られた吸水側貯水領域では、吐水口から流下した水の勢いや衝撃等の影響を殆ど受けずに済むので、水位が安定する。これにより、吸水口近傍の水位が不安定になることに起因するポンプのエア噛みを防止することができる。
【００１２】
＜請求項４の発明＞
規制部を通過した水は、仕切部のうち吐水側貯水領域に臨む側面に沿った経路と、切欠部を通過する経路と、仕切部のうち吸水側貯水領域に臨む側面に沿った経路とを順に通過し、仕切部を迂回するように移動するので、水が規制部から吸水口に至るまでの移動に要する時間が長くなる。これにより、規制部を通過した時点で水に気泡が含有していても、その気泡の多くが、吸水口に到達するまでに水面上まで浮き上がるので、吸水口に吸い込まれる虞がなく、ポンプにおけるエア噛みを、より確実に防止することができる。
【図面の簡単な説明】
【００１３】
【図１】実施形態１の水洗便器の一部切欠斜視図
【図２】洗浄タンクに取り付けたエアギャップ装置を斜め前方から視た状態をあらわす一部切欠斜視図
【図３】洗浄タンクに取り付けたエアギャップ装置を斜め後方から視た状態をあらわす一部切欠斜視図
【図４】エアギャップ装置を斜め前方から視た斜視図
【図５】エアギャップ装置のサブタンクを斜め前方から視た状態をあらわす一部切欠斜視図
【図６】サブタンクの縦断面図
【図７】サブタンクの水平断面図
【図８】規制部材の正面図
【図９】規制部材の分解斜視図
【発明を実施するための形態】
【００１４】
＜実施形態１＞
以下、本発明を具体化した実施形態１を図１乃至図９を参照して説明する。図１に示すように、本実施形態の水洗便器は、便鉢（図示省略）を有する便器本体１０と、便器本体１０内（便鉢内）を洗浄するための洗浄水を貯留する洗浄タンク１１と、局部洗浄用のノズル１２に洗浄水を供給するための給水路１３と、給水路１３の途中に設けたエアギャップユニット３０（本発明の構成要件であるエアギャップ装置）と、ノズル１２とエアギャップユニット３０との間に設けた温水タンク１４とを備えて構成されている。
【００１５】
洗浄タンク１１は、洗浄水を貯留する上面開放のタンク本体１５（図２，３を参照）と、タンク本体１５に対しその上面の開口を塞ぐように取り付けられるタンクカバー１６（図１を参照）とを備えている。図３に示すように、タンク本体１５内には、その上端の開口部の近くに位置するように給水バルブ１７が取り付けられている。給水バルブ１７の流入側接続部１８は、タンク本体１５の外面側に露出されている。給水バルブ１７は、上向きのノズル側吐出部１９と、水平右向きの便鉢側吐出部とを有している。便鉢側吐出部には、タンク本体１５内に洗浄水を供給するための供給ホース２０が接続されている。
【００１６】
図１に示すように、タンクカバー１６は、タンク本体１５の外周を包囲する上面開放のカバー本体２１と、カバー本体２１の上面を塞ぐ蓋カバー２２とから構成されている。カバー本体２１には、便座２３と便蓋２４が取り付けられ、カバー本体２１の内部には、ノズル１２を含む局部洗浄機構や温水タンク１４等の機器が収容されている。
【００１７】
ノズル１２用の給水路１３のうちエアギャップユニット３０よりも上流側の流路は、建物の壁面において水道配管に接続されたタンク外配管２５と、タンクカバー１６の底部においてタンク外配管２５の下流端に接続され、カバー本体２１とタンク本体１５との隙間に収容された上下方向のタンク内配管２６とによって構成されている。図３に示すように、タンク内配管２６の下流端（上端部）は、給水バルブ１７の流入側接続部１８に接続されている。また、図１，３に示すように、給水路１３のうちエアギャップユニット３０よりも下流側の流路は、カバー本体２１とタンク本体１５との隙間に収容された上下方向の流出管２７を備えて構成されている。流出管２７の下流端（下端部）には温水タンク１４が接続されている。
【００１８】
図２〜４に示すように、エアギャップユニット３０は、略水平な支持プレート３１を有し、この支持プレート３１に複数の部材を組み付けて一体化（ユニット化）したものである。支持プレート３１には、ノズル１２に供給するための水を貯留するためのサブタンク３２と、通電により作動してサブタンク３２への給水を行う定流量弁付きの電磁開閉弁６０と、通電により作動してサブタンク３２内の水を吸い上げてノズル１２に圧送するためのポンプ６２と、ポンプ６２内の水切れを防止するためのバキュームブレーカ６３と、流出用接続部材６４と、上記の部材３２，６０，６２，６３，６４間を連絡するユニット内流路６５とが一体的に取り付けられており、これらの部材３２，６０，６２，６３，６４，６５と支持プレート３１とによってエアギャップユニット３０が構成されている。
【００１９】
図５，６に示すように、サブタンク３２は、合成樹脂製であり、上面開放のハウジング３３と、ハウジング３３に対しその上面の開口部を塞ぐように組み付けられる蓋部材３４とを備えて構成されている。図７に示すように、サブタンク３２の平面形状は、右端部が略半円形をなし、それ以外の領域が左右方向に長い方形をなす。尚、本実施形態において、サブタンク３２（ハウジング３３）の幅方向は、水洗便器における前後方向と同じ方向を意味し、図７においては上下方向であり、水平面上においては後述する吐水口５０から規制部材４４を経て吸水口５２側に向かう水の全体としての流動経路の方向（つまり、左右方向）と略直角に交差する方向、と定義する。
【００２０】
図５〜７に示すように、ハウジング３３は左右方向に長く、ハウジング３３の底壁部には、その左側の端部をハウジング３３の全幅に亘って略方形に開口させることによって排水部３５が形成されている。排水部３５の開口縁のうち右側縁部には、底壁部から立ち上がって排水部３５側へ逆Ｕ字形に湾曲した形状の隔壁部３６が形成されている。隔壁部３６の略半円形をなす上端縁は、溢れ縁３７となっている。
【００２１】
ハウジング３３の底壁部のうち略半円形をなす右端部は、右方に向かって上り勾配となった傾斜面３８となっている。傾斜面３８の最大高さ（右端の高さ）は、溢れ縁３７よりも高くなっている。ハウジング３３の底部のうち排水部３５と傾斜面３８の右端側部分とを除いた領域は、所定量の水を貯留するための貯水部３９となっている。図６に示すように、左右方向における貯水部３９の形成領域は、溢れ縁３７から傾斜面３８の下端縁よりも少し右方の位置に至る範囲である。幅方向においては、貯水部３９はハウジング３３の全幅に亘って形成されている。また、貯水部３９における最高貯水位３９Ｗ（後述する吐水口５０からの水の供給動作が停止して貯水部３９内の水が静止した状態において、貯水部３９の貯水量が最大となったときの水位）は、溢れ縁３７と同じ高さである。
【００２２】
図５〜７に示すように、貯水部３９の底面には、左右方向において傾斜面３８の下端と隔壁部３６と中間位置よりも少し隔壁部３６に近い位置から上方へ直角に立ち上がる仕切部４０が、一体に形成されている。仕切部４０は、板面を幅方向と平行に向けた平板状をなし、仕切部４０の上端縁は、溢れ縁３７とほぼ同じ高さとなっている。また、幅方向における仕切部４０の形成範囲は、貯水部３９の前端よりも少し後方の位置から、貯水部３９の後端に至る範囲である。貯水部３９は、この仕切部４０により、左側の吸水側貯水領域４１Ｌと右側の吐水側貯水領域４１Ｒとに仕切られている。また、仕切部４０の後端は、ハウジング３３（貯水部３９）を構成する後壁部に連なっているのに対し、仕切部４０の前端は、ハウジング３３を構成する前壁部から離間しており、この前面壁と仕切部４０の前端と間は、吸水側貯水領域４１Ｌと吐水側貯水領域４１Ｒとを連通する切欠部４２となっている。
【００２３】
図７に示すように、ハウジング３３の前面壁と後面壁には、左右方向において、傾斜面３８の下端と仕切とのほぼ中間位置に位置する左右一対の嵌合溝４３が形成されている。図５，６に示すように、一対の嵌合溝４３は、上下方向に延びており、嵌合溝４３の上端は開放されている。また、嵌合溝４３の下端は、貯水部３９の底面よりも上方の位置に設定されている。この一対の嵌合溝４３には、多孔状の規制部材４４（本発明の構成要件である規制部）が取り付けられている。
【００２４】
図８，９に示すように、規制部材４４は、全体として、板面を幅方向と平行に且つ左右方向と直角に向けた正方形の板状をなす。規制部材４４は、形状及び大きさが同一である２枚の正方形の規制板４５を重ね合わせて構成されている。規制板４５には、外周縁と平行な複数のスリット４６が一定ピッチで並列して形成されており、規制部材４４は、この２枚の規制板４５を、互いに９０°向きを変えた状態で重ねて構成されている。これにより、規制部材４４には、互いに直角に交差するスリット４６で構成される多数の細かい貫通孔部４７が格子状に形成されている。
【００２５】
図５〜７に示すように、規制部材４４は、その前後両側縁部を上方から嵌合溝４３に落とし込むように嵌合させることで、ハウジング３３に取り付けられている。ハウジング３３に取り付けられた規制部材４４は、ハウジング３３の内部空間を全幅に亘って左右に仕切っている。また、嵌合溝４３の下端は貯水部３９の底面よりも上方に位置するので、規制部材４４の下端縁も、その全幅に亘って貯水部３９の底面より上方に位置する。そして、規制部材４４の下端縁と貯水部３９の底面との間は、水が規制部材４４による抵抗を殆ど受けずに流動できるようにするための連通路４８となっている。連通路４８の上端の高さ（規制部材４４の下端縁の高さ）は、貯水部３９の最高貯水位３９Ｗよりも低い位置となっている。また、嵌合溝４３に嵌合された規制部材４４の上端縁は、後述する蓋部材３４の下面及び吐水口５０よりも少し下方に配置されている。
【００２６】
図５，６に示すように、サブタンク３２を構成する蓋部材３４は、水平な蓋本体４９と、蓋本体４９の右端部において上下に貫通するように形成した吐水口５０と、蓋本体４９の左端側の位置から下方へ突出するように形成した貫通形態の筒状吸水部５１とを一体に形成して構成されている。吐水口５０は蓋本体４９の下面に開口している。したがって、吐水口５０は、規制部材４４の上端縁よりも上方に位置し、貯水部３９の最高貯水位３９Ｗよりも高い位置で開口していることになる。そして、貯水部３９と吐水口５０との間には、貯水部３９に貯留されている水が吐水口５０側（上流側）へ逆流するのを防止するためのエアギャップ（吐水口空間）が形成されている。また、吐水口５０の開口位置は、幅方向においてはサブタンク３２（貯水部３９）の中央であり、左右方向においては、吐水側貯水領域４１Ｒの右端部であって傾斜面３８と対応する位置である。
【００２７】
筒状吸水部５１の下端の開口は、吸水口５２となっている。上下方向において、吸水口５２の高さは、仕切部４０の上端縁及び溢れ縁３７（貯水部３９の最高貯水位３９Ｗ）よりも低い高さとなっている。したがって、貯水部３９に水が貯留されると、その水の中に吸水口５２が浸漬されるようになっている。また、図７に示すように、吸水口５２の開口位置は、左右方向においては吸水側貯水領域４１Ｌと対応する位置であり、幅方向においては切欠部４２とは反対側の端部の位置となっている。
【００２８】
図２〜６に示すように、蓋本体４９の上面には、略Ｌ字形をなす吐水側接続部材５３が、その下端面の開口を吐水口５０に連通させた状態で取り付けられている。同じく蓋部材３４の上面には、略Ｌ字形をなす吸水側接続部材５４が、その下端面の開口を筒状吸水部５１の上端に連通させた状態で取り付けられている。図５，６に示すように、この蓋部材３４は、蓋本体４９の周縁部をシールリング５５を介してハウジング３３の上端縁部に載置するようにしてハウジング３３に組み付けられている。
【００２９】
図２に示すように、支持プレート３１には、その上面側を凹ませた形態の箱状をなす収容凹部５６が形成されており、この収容凹部５６内にはサブタンク３２が収容されてボルト（図示省略）により固定されている。収容凹部５６の底板部には、サブタンク３２の排水部３５と対応する排水用開口部５７が形成されている。収容凹部５６にサブタンク３２を取り付けた状態では、吐水口５０が支持プレート３１よりも少し低い位置において下向きに開口し、貯水部３９と排水部３５が支持プレート３１よりも下方に位置する。
【００３０】
図２〜４に示すように、支持プレート３１の上面には、電磁開閉弁６０と、ポンプ６２と、バキュームブレーカ６３と、流出用接続部材６４と、ユニット内流路６５とが取り付けられている。電磁開閉弁６０は、支持プレート３１の左端部に配置され、その下面には、タンク本体１５に取り付けられている給水バルブ１７のノズル側吐出部１９と接続するための接続ポート６１（図４を参照）が設けられている。電磁開閉弁６０は、通電により開閉駆動される。開弁状態では、所定の流量の水が電磁開閉弁６０から下流側のサブタンク３２へ供給され、閉弁状態では、サブタンク３２側への水の供給が停止する。
【００３１】
ポンプ６２は、ギヤポンプからなり、支持プレート３１の右端部に配置されている。ポンプ６２は、通電により電磁開閉弁６０の開閉と連動して作動する。電磁開閉弁６０が開弁されると、ポンプ６２が作動し、サブタンク３２内の水が吸い上げられてノズル１２側へ圧送され、電磁開閉弁６０が閉弁されると、ポンプ６２の駆動が停止し、サブタンク３２内の水の吸い上げとノズル１２側への水の圧送が停止する。バキュームブレーカ６３は、ポンプ６２内の水切れを防止するために設けたものであって、電磁開閉弁６０よりも少し右方の位置に配置されている。図３に示すように、流出用接続部材６４は、電磁開閉弁６０の後方近傍位置に配置されている。
【００３２】
図２〜４に示すように、ユニット内流路６５は、第１〜第４流路６６Ａ〜６６Ｄによって構成されている。第１流路６６Ａは、電磁開閉弁６０の流出ポートとサブタンク３２の吐水側接続部材５３との間を接続し、これにより、電磁開閉弁６０が吐水口５０に接続される。第２流路６６Ｂは、吸水側接続部材５４とポンプ６２の流入ポートとの間を接続し、これにより、ポンプ６２が吸水口５２に接続される。第３流路６６Ｃは、ポンプ６２の流出ポートとバキュームブレーカ６３の流入ポートとの間を接続する。第４流路６６Ｄは、バキュームブレーカ６３の流出ポートと流出用接続部材６４との間を接続する。
【００３３】
上記構成になるエアギャップユニット３０は、タンク本体１５に対し、その上面の開口を支持プレート３１で塞ぐような形態で取り付けられている。取付けの際には、電磁開閉弁６０のポート６１を給水バルブ１７のノズル側吐出部１９に接続する。また、流出用接続部材６４には、温水タンク１４から上方に延びた流出管２７の上端部（上流端）が接続される。また、貯水部３９と吐水口５０はサブタンク３２の内部に収容されているので、エアギャップユニット３０をタンク本体１５に取り付けた状態では、貯水部３９と吐水口５０との間のエアギャップ（吐水口空間）が、サブタンク３２を構成する側壁部によってタンク本体１５内における洗浄水の貯留空間から仕切られている。
【００３４】
タンク本体１５にエアギャップユニット３０を取り付けた後は、カバー本体２１の上面開口部にタンクカバー１６の蓋カバー２２を取付ける。これにより、エアギャップユニット３０が、タンクカバー１６（蓋カバー２２）で囲まれた空間内に収容され、タンク本体１５よりも上方、即ちタンク本体１５の最高貯水位よりも上方の位置に配置される。尚、エアギャップユニット３０は、タンク本体１５から外すことができるようになっている。
【００３５】
次に、本実施形態の作用を説明する。局部洗浄を行うときには、使用者の操作により、電磁開閉弁６０が開弁状態に切り替わるとともにポンプ６２の作動が開始され、電磁開閉弁６０から吐出された水が、第１流路６６Ａを通って吐水口５０から貯水部３９内へ流下する。この吐水口５０からの給水が行われている間に、貯水部３９の水が、吸水口５２から吸い上げられ、第２流路６６Ｂとポンプ６２と第３流路６６Ｃとバキュームブレーカ６３と第４流路６６Ｄと流出管２７を順に通り、温水タンク１４を経てノズル１２に供給される。
【００３６】
また、ポンプ６２の吸水量は、吐水口５０からの給水量よりも少量に抑えられているので、ポンプ６２で吸引されずに貯水部３９から溢れた余剰水は、排水部３５からサブタンク３２外へ排出される。ここで、サブタンク３２はタンク本体１５内に収容されており、排水部３５が、タンク本体１５内の上端位置において排水用開口部５７を介して下方へ開口されている。したがって、貯水部３９から溢れた余剰水は、排水部３５と排水用開口部５７を通って落下し、タンク本体１５内に貯留される。余剰水がタンク本体１５内に排出されると、洗浄タンク１１内の貯水量が増える。洗浄タンク１１内の貯水量が増えると、局部洗浄の後で便器本体１０を洗浄する際に洗浄タンク１１から便鉢に供給される洗浄水の流量も増えるので、洗浄効果が向上する。このように本実施形態によれば、エアギャップユニット３０から排出された余剰水を、便器本体１０の洗浄効果向上のために有効利用することが実現されている。
【００３７】
また、局部洗浄が終わると、使用者の操作により、電磁開閉弁６０が閉弁状態に切り替わるとともにポンプ６２の作動が停止し、サブタンク３２（貯水部３９）に対する水の供給と、サブタンク３２（貯水部３９）からの吸水及びノズル１２への圧送が停止する。ポンプ６２による圧送が停止すると、流出管２７内の水が下方の温水タンク１４内に流れ落ちて流出管２７が負圧になるため、第３流路６６Ｃ及び第４流路６６Ｄ内の水が温水タンク１４側へ流出し、これに伴って第３流路６６Ｃ及び第４流路６６Ｄ内が負圧になる。したがって、第３流路６６Ｃと第４流路６６Ｄが負圧のままであれば、ポンプ６２内の水が下流側（第３流路６６Ｃ及び第４流路６６Ｄ側）へ吸い出されて、ポンプ６２内が水切れ状態となることが懸念される。
【００３８】
その対策として本実施形態では、第３流路６６Ｃ及び第４流路６６Ｄ（給水路１３におけるポンプ６２と温水タンク１４との間）にバキュームブレーカ６３を設けた。これにより、第３流路６６Ｃ及び第４流路６６Ｄが負圧になったときには、バキュームブレーカ６３が作動して第３流路６６Ｃ及び第４流路６６Ｄ内に外気が導入されるので、第３流路６６Ｃ及び第４流路６６Ｄが負圧のままになることが回避される。したがって、ポンプ６２内部の水が下流側へ吸い出されることがなく、ポンプ６２が水切れ状態になることを防止できる。
【００３９】
また、本実施形態のエアギャップユニット３０では、吐水口５０から貯水部３９へ水が流下するのに伴い、大きな気泡が発生したり、流下する水に小さい気泡が含まれたりすることは避けられない。もし、これらの気泡が吸水口５２からポンプ６２に吸い込まれると、ポンプ６２でエア噛みが発生し、良好な吸水と圧送に支障を来すことになる。そこで、本実施形態では、ポンプ６２におけるエア噛みを防止する手段として、気泡が発生するサブタンク３２の内部に規制部材４４を設けている。この規制部材４４は、多数の細かい貫通孔部４７を有する多孔状をなし、水平方向（吐水口５０から流下した水が吸水口５２に向かって流れる方向）において吐水口５０と吸水口５２との間を遮るように配置されている。これにより、吐水口５０から貯水部３９へ水が流下するのに伴って気泡が生じても、その気泡は、規制部材４４のうちスリット４６（貫通孔部４７）が形成されていない部分に衝突して吸水口５２側へ移動するのを規制される。したがって、気泡が吸水口５２から吸い込まれるという事態が生じ難く、ポンプ６２におけるエア噛みを抑制することができる。
【００４０】
また、大きな気泡は貯水部３９内の水面よりも上方に浮き上がるという点に着目し、規制部材４４の下端縁を、貯水部３９の底面よりも上方の位置に配置し、規制部材４４の下端縁と貯水部３９の底面との間に連通路４８を形成した。この構成によれば、貯水部３９に流下した水に含まれる気泡は、速やかに水面上へ移動するので、規制部材４４によって吸水口５２側への移動を規制される。一方、気泡の含有量が減少した水のうち貯水部３９の底面に沿って低く流れるものは、規制部材４４による抵抗を殆ど受けずに連通路４８（規制部の下方）を通過することができる。また、水の一部は規制部材４４の貫通孔部４７を通過して吸水口５２側へ流れていく。このように本実施形態によれば、貯水部３９内を吸水口５２に向かって流れる水の圧力損失を抑えながら、気泡の吸水口５２への到達を確実に防止することができる。
【００４１】
尚、本実施形態では、２枚の規制板４５を異なる向きに重ねることによって規制部材４４を構成したが、吐水口５０から供給される水の圧力が低い場合には、スリット４６が同じ向きに揃うように重ねた２枚の規制板４５、又は１枚の規制板４５によって規制部材４４を構成してもよい。このようにすれば、規制部材４４のうちスリット４６の開口領域全体が水の通過を許容する空間となるので、水が通過可能な空間の開口面積が貫通孔部４７よりも広くなり、低圧の水でも圧力損失が低減される。
【００４２】
また、サブタンク３２内には、貯水部３９の底面における規制部材４４と吸水口５２との間の位置から立ち上がる仕切部４０を形成し、この仕切部４０により、貯水部３９を、吸水口５２を浸漬させる吸水側貯水領域４１Ｌと、吐水口５０及び規制部材４４に臨む吐水側貯水領域４１Ｒとに仕切った。この構成によれば、吸水側貯水領域４１Ｌでは、吐水側貯水領域４１Ｒにおいて吐水口５０から流下した水の勢いや衝撃等の影響を殆ど受けずに済むので、水位が安定する。これにより、吸水口５２近傍の水位が不安定になることに起因するポンプ６２のエア噛みを防止することができる。
【００４３】
また、規制部材４４から吸水口５２に至る水の流動経路と交差する幅方向において、仕切部４０の形成範囲を、貯水部３９の全幅領域の一部のみであり、且つ幅方向において後方へ片寄った領域とし、仕切部４０の非形成領域を、吸水側貯水領域４１Ｌと吐水側貯水領域４１Ｒとを連通させる切欠部４２とした。さらに、吸水口５２と切欠部４２を、幅方向において互いに非対応の位置関係となるように配置した。換言すると、吸水口５２を、幅方向において切欠部４２とは反対側（後端側）に配置した。この構成によれば、規制部材４４を通過した水は、仕切部４０のうち吐水側貯水領域４１Ｒに臨む側面に沿った経路と、切欠部４２を通過する経路と、仕切部４０のうち吸水側貯水領域４１Ｌに臨む側面に沿った経路とを順に移動するので、水が規制部材４４から吸水口５２に至るまでの移動経路が仕切部４０を迂回する経路となり、水が規制部材４４から吸水口５２に至るのに要する時間が長くなる。これにより、規制部を通過した時点で水に気泡が含有していても、その気泡の多くが、吸水口５２に到達するまでの間に水面上（吸水口５２よりも高い位置）まで浮き上がるので、吸水口５２に吸い込まれる虞がなく、ポンプ６２におけるエア噛みを、より確実に防止することができる。
【００４４】
また、吐水口５０から貯水部３９へ水が供給されるときには、その水が直接、貯水部３９の水面に落下すると、衝撃によって気泡が発生し易くなるのであるが、本実施形態では、吐水口５０から落下した水の一部は、落下方向（鉛直方向）に対して斜めに形成した傾斜面３８のうち貯水部３９から右方へ外れた領域に落下するようになっている。これにより、気泡の発生が抑えられている。
【００４５】
また、洗浄タンク１１は、洗浄水を貯留する上面開放のタンク本体１５と、タンク本体１５の上面と外周面を覆い隠すタンクカバー１６とを備えて構成されている点に着目し、エアギャップユニット３０を、タンク本体１５の上方であってタンクカバー１６で囲まれた空間内に配置した。この構成によれば、エアギャップユニット３０に対する異物の干渉を防止できる。また、エアギャップユニット３０を、タンク本体１５の最高貯水位よりも上方の位置に配置したので、タンク本体１５内の洗浄水中に浸漬される虞がない。
【００４６】
エアギャップユニット３０は、タンク本体１５に対して着脱可能な略水平な支持プレート３１と、通電により作動して貯水部３９における給水と吸水を行う電磁開閉弁６０とポンプ６２とを備えている。そして、電磁開閉弁６０とポンプ６２を支持プレート３１の上面側に取り付け、吐水口５０を、下方に向かって開口した状態で支持プレート３１に設け、貯水部３９と排水部３５を支持プレート３１の下面側に設けた。この構成によれば、電磁開閉弁６０とポンプ６２は、吐水口５０から貯水部３９に至る水の流下経路、及び貯水部３９から溢れた余剰水の排出経路よりも上方に位置することになるので、これらの経路を流れる水で濡らされる虞がない。また、エアギャップユニット３０は、その構成手段が支持プレート３１によって一体化されているので、タンク本体１５に対する着脱時の作業性に優れている。
【００４７】
＜他の実施形態＞
本発明は上記記述及び図面によって説明した実施形態に限定されるものではなく、例えば次のような実施形態も本発明の技術的範囲に含まれる。
（１）上記実施形態では、規制部材の下端縁と貯水部の底面との間に、規制部材の全幅に亘って連続した形態の連通路を設けたが、規制部材の下端縁と貯水部の底面との間の連通路の幅方向における形成範囲を、規制部材の全幅における一部の領域だけとしてもよく、規制部の下端縁をその全幅に亘って貯水部の底面に接するようにして、連通路を形成しない構成としてもよい。
（２）上記実施形態では、規制部材をサブタンクの全幅に亘って形成したが、サブタンクの幅方向における規制部の形成領域は、サブタンクの幅方向における一部だけであってもよい。
（３）上記実施形態では、規制部材の上端縁をサブタンクの蓋部材の下面よりも低い高さに設定したが、規制部材の上端縁を蓋部材の下面と同じ高さに設定し、規制部材の浮き上がりを抑えるようにしてもよい。
（４）上記実施形態では、規制部材の上端縁を吐水口よりも低い高さに設定したが、規制部材の上端縁は、吐水口と同じ高さにしてもよく、吐水口より高く設定してもよい。
（５）上記実施形態では、規制部（規制部材）をサブタンクとは別体の部品としたが、規制部をサブタンクに一体に形成してもよい。
（６）上記実施形態では、規制部材を同一形状の規制板を互いに異なる向きで２枚重ねにして構成したが、規制部材は、形状の異なる複数種類の部品を組み付けて構成してもよい。この場合、１つの規制部材を構成する部品の数は３つ以上であってもよい。
（７）上記実施形態では、規制部材を２枚の規制板を組み付けて構成したが、規制部材は単一部品であってもよい。
（８）上記実施形態では、規制部材を板状としたが、規制部材はブロック状であってもよい。
（９）上記実施形態では、規制部材の下端縁の高さを、仕切部の上端縁及び排水部の溢れ縁よりも低くしたが、規制部材の下端縁は、仕切部の上端縁及び溢れ縁と同じ高さでもよく、仕切部の上端縁及び溢れ縁より高くてもよい。
（１０）上記実施形態では、貯水部を、仕切部によって吸水側貯水領域と吐水側貯水領域とに仕切ったが、貯水部に仕切部を設けない構成としてもよい。
（１１）上記実施形態では、仕切部を幅方向に片寄った配置として、幅方向における一方の端部のみに切欠部を形成したが、切欠部は、幅方向における両端部に形成してもよく、幅方向における中央位置に形成してもよい。
（１２）上記実施形態では、幅方向における仕切部の形成範囲を、貯水部の一部のみとしたが、仕切部を貯水部の全幅に亘って連続して形成してもよい。
（１３）上記実施形態では、仕切部の数を１つとしたが、規制部から吸水口に至る経路に沿って複数の仕切部を並べて形成してもよい。
（１４）上記実施形態では、仕切部の上端縁を排水部の溢れ縁と同じ高さとしたが、仕切部の上端縁は、排水部の溢れ縁より高くてもよく、溢れ縁より低くてもよい。
（１５）上記実施形態では、切欠部の数を１つとしたが、切欠部を複数箇所に形成してもよい。
（１６）上記実施形態では、切欠部によって吸水側貯水領域と吐水側貯水領域とを連通させたが、切欠部を形成せずに吸水側貯水領域と吐水側貯水領域とを全幅に亘って仕切るようにしてもよい。
（１７）上記実施形態では、吐水口をサブタンクの蓋部材に一体に形成したが、吐水口は、蓋部材とは別体の部品に形成してもよい。
（１８）上記実施形態では、吸水口をサブタンクの蓋部材に一体に形成したが、吸水口は、蓋部材とは別体の部品に形成してもよい。
（１９）上記実施形態では、貯水部の底面のうち吐水口と対応する領域を水平面に対して傾斜させることで、気泡の発生を抑制したが、貯水部の底面は、その全領域に亘って水平であってもよい。
（２０）上記実施形態では、エアギャップ装置の構成手段を支持プレートによって一体化（ユニット化）したが、本発明は、エアギャップ装置が、ユニット化されておらず、エアギャップ装置の構成手段がタンク本体に対して個別に取り付ける場合にも適用することができる。
（２１）上記実施形態では、エアギャップユニットを洗浄タンクに取り付け、エアギャップユニットから溢れた余剰水を洗浄タンク内に排出するようにしたが、本発明は、便座と弁蓋を備えた便座装置に取り付けられ、余剰水を便鉢に排出するようにしたエアギャップ装置（エアギャップユニット）にも適用することができる。
【符号の説明】
【００４８】
１２…ノズル
１３…給水路
３０…エアギャップユニット（エアギャップ装置）
３２…サブタンク
３９…貯水部
３９Ｗ…貯水部の最高貯水位
４０…仕切部
４１Ｌ…吸水側貯水領域
４１Ｒ…吐水側貯水領域
４２…切欠部
４４…規制部材（規制部）
５０…吐水口
５２…吸水口
６２…ポンプ
【図１】
0005523285.tif 000002
【図２】
0005523285.tif 000003
【図３】
0005523285.tif 000004
【図４】
0005523285.tif 000005
【図５】
0005523285.tif 000006
【図６】
0005523285.tif 000007
【図７】
0005523285.tif 000008
【図８】
0005523285.tif 000009
【図９】
0005523285.tif 000010